(57)【要約】  本発明の目的は歯科インプラントの２元機能システムを開示することであり、該２元機能システムは、維持ボルト（３）によりインプラント（２）に固定される支柱（１）とアタッチメント（４）から構成されており、該アタッチメントはインプラント（２）の位置の印象採得用の転写部材としても、インプラント（２）に暫定義歯を固定するための支持部材としても、区別無く使用することができ、該アタッチメント（４）は軸線方向維持部（６）および放射方向維持部（７）を備えており、該アタッチメントが印象採得に使用される時と暫定歯冠の支持部材として使用される時の両方の場合に、前記アタッチメントが動くのを防止している。
2010540138.tif 000002
【特許請求の範囲】
【請求項１】
維持ボルト（３）によりインプラント（２）に支柱（１）が固定される構成の歯科インプラントの２元機能システムにおいて、前記システムはアタッチメント（４）を備えていることを特徴とするとともに、前記支柱（１）は前記アタッチメント（４）の固定を行えるようにする手段を備えており、前記アタッチメントをインプラント（２）の位置の印象採得用の転写部材としても、更にまた、インプラント（２）に暫定義歯を固定するための支持部材としても、区別無く使用することができるようにしたことを特徴とする、歯科インプラント２元機能システム。
【請求項２】
前記支柱（１）を前記アタッチメント（４）に固定するために、前記支柱（１）には先細り部が設けられて両部材相互のスナップ嵌めを容易にしていることを特徴とする、請求項１に記載の歯科インプラントの２元機能システム。
【請求項３】
前記アタッチメント（４）を固定するための支柱（１）に設けられた前記先細り部は鉛直線に対して１度から２度の範囲で傾斜していることを特徴とする、請求項２に記載の歯科インプラントの２元機能システム。
【請求項４】
前記アタッチメント（４）は軸線方向維持部（６）および放射方向維持部（７）を備えており、前記アタッチメントが印象採得に使用される時と暫定歯冠の支持部材として使用される時に、前記アタッチメントが動くのを防止していることを特徴とする、請求項１から請求項３のいずれかに記載の歯科インプラントの２元機能システム。
【請求項５】
前記軸線方向維持部（６）は少なくとも１個の係止部（８）から構成されており、前記係止部（８）は前記アタッチメント（４）の他の係止部（８）、基体（１０）、または、その両方に接続されるにあたり、前記係止部（８）および前記基体（１０）よりも直径または横断面が小さい部分（１１）によって接続されることを特徴とする、請求項４に記載の歯科インプラントの２元機能システム。
【請求項６】
前記放射方向維持部（７）には複数の周面上の窪み（９）が前記アタッチメント（４）の複数の互いに異なる高さ位置に設けられていることを特徴とする、請求項４に記載の歯科インプラントの２元機能システム。
【請求項７】
前記周面上の窪み（９）はアタッチメント（４）の前記基体（１０）、前記係止部（８）、または、その両方に設けられていることを特徴とする、請求項６に記載の歯科インプラントの２元機能システム。
【請求項８】
前記アタッチメント（４）は、前記部分（１１）を切削して前記係止部（８）を設けたり前記係止部（８）を切削して前記窪み（９）を設けることができるような素材から製造されていることを特徴とする、請求項５から請求項７のいずれかに記載の歯科インプラントの２元機能システム。
【請求項９】
前記維持ボルト（３）のヘッド（５）は先細り状に形成されて、前記ボルトの大きい方の基体が前記支柱（１）の大きいほうの直径部上で支持されるようにすることで、前記アタッチメント（４）の挿入および抜き取りを容易にしていることを特徴とする、請求項１に記載の歯科インプラントの２元機能システム。
【発明の詳細な説明】
【技術分野】
【０００１】
本特許出願の発明の目的は、歯科インプラントにより無歯状態の治療を施すにあたり、口腔を模擬再現している歯科技工製作所内作業用雛型に患者の口内のインプラントの位置を転写することで永続義歯の準備を行えるようにすると同時に、永続義歯を患者に挿入するのと同じ外科手術中に暫定義歯の基部としても作用し得るようにした２元機能システムを開示することである。
【０００２】
特に、本発明の目的は、固定用ボルトにより歯科インプラントに固定された軸支柱と、該軸支柱に固着されてインプラントの位置の印象を採得するための転写部材として使用することができるうえに患者の骨組織に挿入された歯科インプラント上に１本または複数本の歯の暫定義歯を固定するための支持部材として使用することもできるアタッチメントとから構成されているシステムを開示することである。
【背景技術】
【０００３】
各種歯科移植術は目下のところ広く普及しており、それぞれを医療従事者と患者の双方が利用して受け入れることが当たり前となっている。このような技術により、歯根をインプラントと置換することができるようになり、延いては、該インプラントごとに対応する義歯を連結することができるようになっている。
【０００４】
インプラントを移植する各段階を概括すると、初期移植段階と、その次に後続して待機時間を含む中間骨組込段階と、その直後の最終段階すなわち永久義歯固定段階に分かれる。
【０００５】
骨組込期間とは、単数または複数のインプラントの挿入から永久義歯の取付けまでの期間のことであって、事例にもよるが２ヶ月から６ヶ月に亘って持続することがあり、斯かる期間中に、患者は支持部材により該インプラントに固定された状態で暫定義歯を装着し、斯かる暫定義歯はインプラントの骨組込が終了すると、永久義歯を設置するために除去される。
【０００６】
他方で、該暫定義歯はインプラントを挿入するのと同じ外科手術中に設置されるが、永久義歯は、患者の口腔から採得した雛型に基づいてインプラントの位置を転写することにより歯科技工製作所で製造または準備する必要があり、転写は、通常、インプラントに予め固定されていたアタッチメントを印象トレイに置かれた印象材塊体の中に埋込むことによって行われるが、該アタッチメントはインプラントから印象トレイに渡され、または、転送され、従って、患者の口内でインプラントが占有していたそのままの位置を印象トレイに刻印することとなり、これにより、歯科技工製作所において義歯を製造または準備することができるようになる。
【発明の概要】
【発明が解決しようとする課題】
【０００７】
よって、患者の歯を歯科移植術により他の人工歯と置換する上述の各種治療にあって、上述の骨組込期間中に暫定義歯を取付けることを患者が希望している状況では、暫定義歯を載置する土台となる支持部材を設けることが必要となると同時に、印象トレイに転写を行えるようにするアタッチメントを備えていることも必要となる。
【０００８】
これら２種類の部材、すなわち、支持部材とアタッチメントが互いに完全に異なる機能を実施する必要があり、例えば、第１事例では暫定義歯の支持体として作用するように支持部材がインプラントに固定され、第２事例では口腔からインプラントの位置を容易に採得することができて印象トレイにおいて位置決めを行えるようにした転写部材として作用するようにアタッチメントがインプラントに固定され、これら両部材は通常は２個の独立した別部材として準備されるが、そのため、歯科医は両方の部材を準備して完全な治療を遂行する必要が生じる。
【０００９】
更に、２種類の別部材、すなわち、支持部材とアタッチメントを設ける必要に応じて両部材を固定するのに使用される種類の支柱が決まり、使用部材の個数を増やすことになった結果として、構成が複雑になり、とりわけ、コスト高についてしまうことになる。
【課題を解決するための手段】
【００１０】
後段で説明してゆく本発明の歯科インプラントの２元機能システムは前述の課題を解決するものであり、その根拠としては、暫定義歯の支持部材の機能を果たす１種類の支柱と転写部材の機能を果たす１種類のアタッチメントとを利用して、完全な治療が実施されるからである。
【００１１】
より詳細に説明すると、本発明の歯科インプラントの２元機能システムは以下のような移植プロセスに関与していることになる。
【００１２】
単数または複数のインプラントを患者の骨組織に固定し、更に、該インプラントに支柱（チタン製であるのが好ましい）をネジを立てたボルトを使って固定するのが完了してから、このような接続部の周辺にある柔組織を縫合することでインプラントの肩部分または支柱の肩部分に柔組織が侵入するのを防ぎ、その後に治療を開始することができるようにするが、斯かる治療は、まず最初に支柱にアタッチメントを設置して印象採得用トレイなどによってアタッチメントを容易に抜き取ることができるようにする工程、作業雛型にインプラントの位置を転写する工程、および、歯科技工製作所において義歯を準備することができるようにする工程を含んでいる。
【００１３】
上述の作業を完了した時点で既に、暫定義歯のインプラントへの取付けを済ませることができる。従って、上段で説明したような転写用の新規なアタッチメントは上述の支柱に取付けられるものであるが、斯かるアタッチメントは本件では上述の暫定歯冠または暫定義歯の支持体として作用し、両部材を一体接続する固定手段により暫定義歯はアタッチメントに接続されることになる。
【００１４】
本発明の歯科インプラントの２元機能システムを構成している各部材については、斯かる部材は、
−  インプラントごとに対応してボルトを使った維持手段によってインプラントに固定される支柱と、
−  歯科技工製作所内作業用の雛型にインプラントの位置を転写する作業と暫定歯冠を固定する作業の両方で使用することができるアタッチメントである。
【００１５】
よって、これら２種の作業を実行するために、アタッチメントと支柱とを接続し、斯かる接続により、アタッチメントが暫定歯冠の支持部材として作用する場合にはアタッチメントを固定状態に維持するのに十分な強度の接続を確保するとともに、アタッチメントが支柱から容易に切離されて印象トレイなどに転送されることでインプラントの正確な位置を示すようにするのに十分な緩さの接続を確保する。
【００１６】
斯かる接続は支柱上部に設けられてアタッチメント維持用スナップ嵌めシステムを形成している先細り部のおかげで実現され、斯かる接続は、上述のように、暫定歯冠の脱落を防止するのに十分な耐性があるとともに転写作業中に抜き取れるようにするのに十分な緩さがある。
【００１７】
他方で、２元機能に有用なアタッチメントはその下部が支柱に接続されるとともにその直径は上述の態様で支柱に接続することができるような寸法の構成になっており、更に、アタッチメントはその上部に設けられた軸線方向維持部と放射方向維持部により、印象採得材で包囲された時と暫定歯冠を接着固定するためのアクリル樹脂などによって包囲された時の両方の場合においてアタッチメントが動くのを防止している。
【００１８】
より詳細に説明すると、上述の維持部は一連の周面上の切欠きまたは窪みが複数の互いに異なる高さ位置に形成されており、これら切欠きまたは窪みには、歯の形状を呈している暫定歯冠を本発明の支持部材の外周面と永久接続するように接着または密着する際に使用される素材が収容されることになるが、歯冠と支持部材は接着剤の硬化後には単一部材片を形成する。
【００１９】
従って、暫定歯冠と支持部材の集成体がインプラントに固定されているチタン支柱に取付けられる、集成体は既に暫定的な美的機能を果たしており、歯科医または医療従事者がそれでよしと思えば、咀嚼機能さえも果たすことができる。
【図面の簡単な説明】
【００２０】
【図１】図１は支柱および支柱維持ボルトを例示した斜視図である。
【図２】図２は２つの立面図であり、これら立面図のうちの一方は、支柱と支柱維持ボルトとが接続状態であって、支柱の上部の先細り部が描かれている断面図である。
【図３】本発明の２元機能システムで使用されるアタッチメントを例示した斜視図である。
【図４】アタッチメントを支柱に接続した状態を例示した立面図である。
【発明を実施するための形態】
【００２１】
記載されている説明を補足するために、また、本発明の各種特徴を本発明の好ましい実施例に従ってより良く理解するのを助ける目的で、発明の説明の一部として一組の図面が添付されているが、この添付図面の各図は例示のために描かれたものであって、特質を限定するものではない。
【００２２】
図面を参照すると、特に図１および図２において、本発明の２元機能システムの支柱１がボルト３によって維持されることにより移植片２に接続されている態様が見て取れる。
【００２３】
更に、支柱１と維持ボルト３の両部材の接続ばかりか、支柱１の上部に設けられている先細り部も同様に、図２で特に明瞭であるが、斯かる先細りは鉛直線に対して１度から２度の範囲で傾斜しており、本発明の２元機能システムのアタッチメント４の構成部材を固定するために採用されている。
【００２４】
アタッチメント４は、インプラント２の位置を歯科技工製作所内作業用の雛型に転写する作業と暫定歯冠（図示せず）を固定する作業の両方で使用される。
【００２５】
他方で、本発明の一実施例によれば、維持ボルト３のヘッド５には顕著な先細り部が設けられており、その小さい方の基体を上に向けているとともに大きい方の基体は支柱１の大きい方の直径側で支持されるよう企図されており、ヘッドの先細り部は支柱の先細り形状と連携してアタッチメント４の挿入と抜き取りを容易にしていると同時に、暫定義歯の中実支持芯材として作用している。
【００２６】
アタッチメント４については、図３および図４で分かるように、軸線方向維持部６および放射方向維持部７が設けられた構成により、印象採得材によって包囲された時と暫定歯冠を接着固定するためのアクリル樹脂などによって包囲された時の両方の場合においてアタッチメントが動くのを防止している。
【００２７】
より詳細に説明すると、軸線方向維持部６は少なくとも１個の係止部８から形成されており、斯かる係止部は印象トレイに転写を実施するのに好適な直径および高さで円形配置されているのが好ましいが、係止部８および基体１０よりも直径または横断面が小さい部分１１によりアタッチメント４の残余の部分または基体１０に接続されている。
【００２８】
しかしながら、放射方向維持部７は、アタッチメント４の基体１０と係止部８それ自体の両方において一連の周面上の切欠きまたは窪み９が互いに異なる高さ位置に配置された構成になっている。
【００２９】
好ましい実施例によれば、更に、この種の治療で発生し得る異なる状況および異なる様相に適合させる目的で、直径を減じた各部１１を切削して係止部８を設けるか、または、係止部８の外辺を窪ませるか、いずれかの方法により改造することができるような素材からアタッチメント４を製造するようにしてもよい。
【図１】
2010540138.tif 000003
【図２】
2010540138.tif 000004
【図３】
2010540138.tif 000005
【図４】
2010540138.tif 000006
【国際調査報告】
2010540138.tif 000007
2010540138.tif 000008
2010540138.tif 000009
2010540138.tif 000010
2010540138.tif 000011
2010540138.tif 000012
2010540138.tif 000013
2010540138.tif 000014